(57)【特許請求の範囲】
【請求項１】
室外の天井側に設けられた梁と、室内と室外との境界に設けられた外壁とを有する建物に配置される配管の配置構造であって、
梁から室内側に向けて張り出して設けられ、外壁の上部を天井に固定するための留め部と、この留め部に貫通して設けられ、室内の天井裏の空間に配置された配管と連通し、室外側に向けて開口した開口部とを備えることを特徴とする配管の配置構造。
【請求項２】
留め部は、梁に片持ち式に支持された板材からなることを特徴とする請求項１に記載の配管の配置構造。
【請求項３】
請求項１または２に記載の配管の配置構造を有することを特徴とする建物。
【発明の詳細な説明】
【技術分野】
【０００１】
本発明は、空調、換気、給気、排気等の目的で建物を貫通して配置される配管の配置構造およびこの配置構造を備える建物に関するものである。
【背景技術】
【０００２】
従来より、タワーマンションなどの共同住宅では、空調ダクトなどの各種の配管が天井などに配置されている。この配管の配置によっては、天井が低くなり、建築・設備計画上の自由度が低下してしまうことから、これまで様々な対策技術が提案されている（例えば、特許文献１〜４を参照）。
【０００３】
例えば、特許文献１は、梁下にメインダクトを配置することで空調系統数を少なくしたものである。特許文献２は、鉄骨梁に配置した梁スリーブを介して複数本の排気ダクトを配管したものである。特許文献３は、鉄骨の梁材と天井材との間に、天井面に垂直な高さ方向で偏平化された梁下ダクトを設け、天井を高くできるようにしたものである。特許文献４は、鉄筋コンクリート梁に貫通スリーブを設け、その周囲に梁貫通孔補強材や斜補強筋等の補強材を配置したものである。
【０００４】
一方、本発明者の一人は、特願２０１５−０８５８５８号に示される配管貫通部の配置構造を既に提案している。この構造は、柱梁によって囲まれる躯体でない壁領域に配管貫通部を設けたものであり、これにより、施工を容易とし、建物の建築・設備計画上の自由度を高く維持できるようにしている。
【先行技術文献】
【特許文献】
【０００５】
【特許文献１】特開２００４−７６２９３号公報
【特許文献２】特開２００９−２７０７４４号公報
【特許文献３】特開２００２−１６８５０６号公報
【特許文献４】特開２００２−１４６９６８号公報
【発明の概要】
【発明が解決しようとする課題】
【０００６】
ところで、図２に示すように、柱１、梁２が室内側に配置されるインナーフレーム構造において、上記の特許文献４のように梁２に配管３用の貫通スリーブ４を配置すると、コンクリート打設時に正しい位置に貫通スリーブ４を配置する必要がある上に、貫通スリーブ４の周囲に特殊な貫通孔補強材を用いるとともに、斜補強筋の構造を設ける必要があり、施工作業が複雑で、作業効率が悪く、施工ミスが発生しやすい。このような作業が多く必要な場合には極めて作業効率が悪くなる。
【０００７】
また、貫通スリーブ径の３倍以上の梁せいを確保する必要がある。さらに、貫通スリーブ４と梁主筋との位置関係から、納まり上、梁せいを大きくする場合がある。すなわち、貫通スリーブ４を設ける場合、梁せいが大きくなる場合があり、サッシ窓５などの有効開口高さが低くなるなど、建築・設備計画上の自由度が大きく低下することになる。
【０００８】
また、ＡＬＣ板（軽量気泡コンクリート板）のような外壁材に貫通スリーブを設ける場合、ＡＬＣ板の最小寸法に制約があるため窓以外の外壁面積が大きくなり、窓面積が小さくなるという問題がある。さらに、ＡＬＣ板１枚に設ける貫通口の数にもその構造上、制限があるという問題がある。
【０００９】
一方、柱梁が室外側に配置されるアウトフレーム構造の場合には、図３に示すように、建物の躯体をなす外周梁６が建物の最外部に設けられる。通常、外周梁６の内側はバルコニーとなり、その奥にはＡＬＣ板のような外壁材７が配置される。配管３は天井８内に配管され、天井内を仕切る外壁材７を貫通してバルコニー天井の開口９に接続する。この形式は、上記の梁に貫通スリーブを設ける方式に比べて建築・設備計画上の自由度は高いが、ＡＬＣ板の納まり上の留め金具（不図示）に近い部分の貫通施工が難しく、また、ＡＬＣ板１枚に設ける貫通口の数にもその構造上、制限があるという問題がある。
【００１０】
このため、梁やＡＬＣ板等の外壁材を貫通しない配管の配置構造の開発が望まれていた。
【００１１】
本発明は、上記に鑑みてなされたものであって、梁や外壁を貫通しない配管の配置構造および建物を提供することを目的とする。
【課題を解決するための手段】
【００１２】
上記した課題を解決し、目的を達成するために、本発明に係る配管の配置構造は、室外の天井側に設けられた梁と、室内と室外との境界に設けられた外壁とを有する建物に配置される配管の配置構造であって、梁から室内側に向けて張り出して設けられ、外壁の上部を天井に固定するための留め部と、この留め部に貫通して設けられ、室内の天井裏の空間に配置された配管と連通し、室外側に向けて開口した開口部とを備えることを特徴とする。
【００１３】
また、本発明に係る他の配管の配置構造は、上述した発明において、留め部は、梁に片持ち式に支持された板材からなることを特徴とする。
【００１４】
また、本発明に係る建物は、上述した配管の配置構造を有することを特徴とする。
【発明の効果】
【００１５】
本発明に係る配管の配置構造によれば、室外の天井側に設けられた梁と、室内と室外との境界に設けられた外壁とを有する建物に配置される配管の配置構造であって、梁から室内側に向けて張り出して設けられ、外壁の上部を天井に固定するための留め部と、この留め部に貫通して設けられ、室内の天井裏の空間に配置された配管と連通し、室外側に向けて開口した開口部とを備えるので、梁や外壁を貫通せずに給排気ダクトなどの配管を配置することが可能となる。梁や外壁に貫通スリーブを設ける従来の方式と比べると上述したような様々な制約を受けないので、建物の建築・設備計画上の自由度を高く維持することができるという効果を奏する。また、従来、外壁に貫通スリーブを設ける場合に外壁の室内側に要していた配管スペースを不要とすることができるという効果を奏する。
【００１６】
また、本発明に係る他の配管の配置構造によれば、留め部は、梁に片持ち式に支持された板材からなるので、片持ち式の板材という簡単な構成により、主要構造部の梁や乾式の外壁端部を貫通せずに給排気ダクトなどの配管を配置することができるという効果を奏する。
【００１７】
また、本発明に係る建物によれば、上述した配管の配置構造を有するので、建物の建築・設備計画上の自由度を高く維持することができるという効果を奏する。
【図面の簡単な説明】
【００１８】
【図１】図１は、本発明に係る配管の配置構造および建物の実施の形態を示す側断面図である。
【図２】図２は、従来の配管の配置構造の一例を示す建物の図であり、（１）は正面図、（２）は側断面図である。
【図３】図３は、従来の配管の配置構造の他の一例を示す建物の側断面図である。
【発明を実施するための形態】
【００１９】
以下に、本発明に係る配管の配置構造および建物の実施の形態について、建物がタワーマンションなどの共同住宅である場合を例にとり図面に基づいて詳細に説明する。なお、この実施の形態によりこの発明が限定されるものではない。
【００２０】
図１は、本発明が適用される建物の所定階のバルコニー部分の側断面を示したものである。この図に示すように、建物１００のバルコニーには、手摺り１２を有するバルコニー床１４が設けられる。バルコニーの奥側には、鉄筋コンクリート造の柱１６と外周梁１８（梁）とが建物１００の躯体として配置されている。ここで躯体とは、建物１００の主要な構造体または骨組みのことであり、建物１００の構造強度に係る部分である。
【００２１】
外周梁１８よりもさらに内側の床スラブ２２上には、室内Ａと室外Ｂを仕切る外壁２０が設けられている。外壁２０の上部は天井に固定される。外壁２０は、例えばＡＬＣ板などの壁材で構成することができる。外壁２０の幅方向隣（図１の紙面に垂直な方向）には、図示しないサッシ窓が配置される。室内Ａの天井２４の裏の空間Ｓには、例えば給排気ダクトなどの配管２６が配置されている。
【００２２】
本発明に係る配管の配置構造１０は、天井側の外周梁１８から外壁２０側に向けて張り出して設けられた留め部２８を備えている。この留め部２８は、外壁２０の上部を天井２４に固定するためのものであり、外周梁１８に片持ち式に支持された小型スラブ（板材）により構成される。この小型スラブは、外周梁１８の外壁２０側の下部から外壁２０側に張り出しており、下面が水平で上面が外周梁１８から離れるに従い高さが低くなる側断面視で台形断面の形状となっている。留め部２８の先端３０は室内Ａの天井２４の端部に固定されている。なお、留め部２８は、側断面視で矩形断面（長方形断面）の形状としても構わない。ただし、台形断面の形状とすれば型枠が外れ易く製造し易いので、台形断面が最も良い。
【００２３】
この留め部２８には、上下に貫通した貫通口３２が設けられている。貫通口３２は、留め部２８の下面で室外Ｂ側に向けて開口した開口部３４に連通している。また、この貫通口３２には、天井裏の空間Ｓに配置された配管２６の端部が接続している。このため、配管２６、貫通口３２、開口部３４を通じて外気を室内Ａに取り入れたり、室内Ａの空気を室外Ｂに排気したりすることができる。また、配管２６、貫通口３２、開口部３４には、バルコニー床１４に設けた図示しない空調の室外機用の配管などを配置することもできる。貫通口３２は、留め部２８に貫通配置した貫通スリーブで構成することができる。
【００２４】
ここで、留め部２８に設ける貫通口３２および開口部３４は、外壁２０の幅方向（図１の紙面に垂直な方向）に間隔を空けて複数設けることができる。また、開口部３４には、必要に応じてダクトキャップを着脱自在に取り付けてもよい。
【００２５】
ところで、図２の従来の構造に示したように、梁２に貫通スリーブ４を配置した場合には、この貫通スリーブ４の存在によって梁せいが増してしまう。この結果、サッシ窓５が設けられる開口高さ寸法は小さくなる。
【００２６】
これに対し、本実施の形態では、図１に示したように、貫通口３２を外周梁１８に配置せず、外壁２０用の留め部２８内に貫通口３２を形成して、梁せいを大きくしないようにしているので、外壁２０の幅方向隣に設けられる図示しないサッシ窓の開口高さを小さくする必要がなく、室内Ａの居住環境も良好なものとなる。さらに、外周梁１８に貫通スリーブを設ける場合に比べて外周梁１８の梁せいを小さくできるためコンクリート量を低減することができるとともに、建物全体の重量を削減できることから、柱、基礎、杭などの必要な強度を低減する相乗効果を有する。
【００２７】
また、外壁２０用の留め部２８は、構造躯体ではないため単に貫通口３２を設けるのみでよく、ここに貫通スリーブを設ける場合でも斜補強筋などの補強構造を設ける必要もないことから、配管の配置構造１０の形成が容易となる。さらに、従来、外壁に貫通スリーブを設ける場合に外壁の室内側に要していた配管スペースを必要としないので、配管および配線の設計の自由度が増すことになる。特に、外壁２０用の留め部２８に単に貫通口３２を設けるのみでよいので、外壁の変更などの大規模なリノベーションなどの改修工事も容易に対応することができる。さらに、外周梁１８や外壁２０に貫通スリーブを配置するための施工作業が不要となり、コストダウンを図ることができる。
【００２８】
このように、本実施の形態に係る配管の配置構造１０によれば、外壁２０用の留め部２８という簡単な構成により、外周梁１８や外壁２０を貫通せずに給排気ダクトなどの配管２６を配置することが可能となる。梁や外壁に貫通スリーブを設ける従来の方式と比べると上述したような様々な制約を受けないので、建物の建築・設備計画上の自由度を高く維持することができる。また、従来、外壁に貫通スリーブを設ける場合に外壁の室内側に要していた配管スペースを不要とすることができる。
【００２９】
また、本実施の形態に係る建物１００によれば、上述した配管の配置構造１０を備えるので、建物の建築・設備計画上の自由度を高く維持することができる。
【００３０】
なお、上述した実施の形態では鉄筋コンクリート造の共同住宅を一例と示したが、この鉄筋コンクリート造の場合が、配管の配置構造１０を形成する際に最も大きな効果を奏する。もちろん、その他、鉄骨造や鉄骨鉄筋コンクリート造などの構造に対しても、本実施の形態における配管の配置構造１０を効果的に適用することができる。
【００３１】
また、上述した配管の配置構造１０は、共同住宅を含む建物であれば適用される。すなわち、建物の全てが共同住宅であってもよいし、建物の一部が共同住宅で他の部分が商業施設や事務所などであってもよい。さらに、上述した配管の配置構造１０は、建物全般に適用することもできる。すなわち、上述した共同住宅は建物の一例として示したものであり、配管の配置構造１０は、病院、ホテル、事務所などの建物にも適用される。
【００３２】
以上説明したように、本発明に係る配管の配置構造によれば、室外の天井側に設けられた梁と、室内と室外との境界に設けられた外壁とを有する建物に配置される配管の配置構造であって、梁から室内側に向けて張り出して設けられ、外壁の上部を天井に固定するための留め部と、この留め部に貫通して設けられ、室内の天井裏の空間に配置された配管と連通し、室外側に向けて開口した開口部とを備えるので、梁や外壁を貫通せずに給排気ダクトなどの配管を配置することが可能となる。梁や外壁に貫通スリーブを設ける従来の方式と比べると上述したような様々な制約を受けないので、建物の建築・設備計画上の自由度を高く維持することができるという効果を奏する。また、従来、外壁に貫通スリーブを設ける場合に外壁の室内側に要していた配管スペースを不要とすることができる。
【００３３】
また、本発明に係る他の配管の配置構造によれば、留め部は、梁に片持ち式に支持された板材からなるので、片持ち式の板材という簡単な構成により、主要構造部の梁や乾式の外壁端部を貫通せずに給排気ダクトなどの配管を配置することができる。
【００３４】
また、本発明に係る建物によれば、上述した配管の配置構造を有するので、建物の建築・設備計画上の自由度を高く維持することができる。
【産業上の利用可能性】
【００３５】
以上のように、本発明に係る配管の配置構造および建物は、空調、換気、給気、排気等の目的で建物を貫通して配置される配管の配置構造およびこの配置構造を備える建物に有用であり、特に、梁や外壁を貫通せずに給排気ダクトなどの配管を配置するのに適している。
【符号の説明】
【００３６】
１０  配管の配置構造
１２  手摺り
１４  バルコニー床
１６  柱
１８  外周梁（梁）
２０  外壁
２２  床スラブ
２４  天井
２６  配管
２８  留め部
３０  先端
３２  貫通口
３４  開口部
１００  建物
Ａ  室内
Ｂ  室外
Ｓ  空間
【図１】
0006664703.tif 000002
【図２】
0006664703.tif 000003
【図３】
0006664703.tif 000004